(57)【特許請求の範囲】
【請求項１】
針管（１１０）と、
前記針管（１１０）を覆うように構成され、先端側に少なくとも１つの切欠き（１２２）が設けられた針保護フード（１２０）と、
前記針管（１１０）と連通し、管状の螺合接続部（１４０）とを備え、
前記針管の中心軸を含む仮想平面（Ｖ）でもって前記切欠き（１２２）を２つに分割したときの、一方側の切欠き部分を第１切欠き部（１２４）とし、他方側の切欠き部分を第２切欠き部（１２８）とし、前記螺合接続部（１４０）が上に位置し前記針保護フード（１２０）が下に位置するようにして前記切欠き（１２２）を正面から見たとき、
前記第１切欠き部（１２４）は前記仮想平面（Ｖ）に対して右側に位置し、前記第２切欠き部（１２８）は前記仮想平面（Ｖ）に対して左側に位置し、
前記螺合接続部（１４０）の外周面には、右上がりの螺旋状突起（１４２）が設けられており、
前記第１切欠き部（１２４）は、前記螺合接続部（１４０）側から前記針保護フード（１２０）の先端側に向けて広がる切欠き形状を有し、
前記第２切欠き部（１２８）は、前記第１切欠き部（１２４）の切欠き形状とは異なり、平面的に見たときに所定の曲率からなる曲線と前記針管（１１０）の中心軸に平行な方向に伸びる直線とが組み合わされた形状を有することを特徴とする接続用アダプタ（１００）。
【請求項２】
請求項１に記載の接続用アダプタにおいて、
前記切欠き形状は、半アーチ形状であることを特徴とする接続用アダプタ（１００）。
【請求項３】
請求項１に記載の接続用アダプタにおいて、
前記切欠き形状は、前記螺合接続部（２４０）側に位置する第１曲面部（２２５）と前記針保護フード（２２０）の先端側に位置する第２曲面部（２２６）とが組み合わされた形状であり、
前記第１曲面部（２２５）は、半アーチ形状であることを特徴とする接続用アダプタ（２００）。
【請求項４】
請求項１に記載の接続用アダプタにおいて、
前記切欠き形状は、前記螺合接続部（３４０）側に位置する曲面部（３２５）と前記針保護フード（３２０）の先端側に位置する直線部（３２６）とが組み合わされた形状であり、
前記曲面部（３２５）は、半アーチ形状であり、
前記直線部（３２６）は、前記曲面部（３２５）との境界部分から前記針保護フード（３２０）の先端側に向けて広がるように傾斜した形状であることを特徴とする接続用アダプタ（３００）。
【請求項５】
請求項１に記載の接続用アダプタにおいて、
前記切欠き形状は、前記螺合接続部（４４０）側から前記針保護フード（４２０）の先端側に向けて広がるように傾斜した直線部分を含む形状であることを特徴とする接続用アダプタ（４００）。
【請求項６】
請求項１〜５のいずれか一項に記載の接続用アダプタにおいて、
前記切欠き（１２２）は、前記針保護フード（１２０）の先端側に２つ設けられており、
当該２つの切欠き（１２２）は、前記針管（１１０）を間にして対向配置されていることを特徴とする接続用アダプタ（１００）。
【請求項７】
医療用回路内に配設可能に構成された混注部材本体（１５０）と、
請求項１〜６のいずれか一項に記載の接続用アダプタ（１００）とを備え、
前記混注部材本体（１５０）は、
前記医療用回路のチューブと接続可能に構成されたチューブ接続部（１６２，１６４）と、
前記チューブ接続部（１６２，１６４）と連通する混注部（１７０）と、
前記接続用アダプタ（１００）を保持するアダプタ保持部（１８０）とを有することを特徴とする混注部材（５０）。
【請求項８】
請求項７に記載の混注部材において、
前記混注部材本体（１５０）には、前記接続用アダプタ（１００）を前記混注部材本体（１５０）に接続したときに、当該接続状態を維持する係合部が設けられており、
前記接続用アダプタ（１００）には、前記接続用アダプタ（１００）を前記混注部材本体（１５０）に接続したときに、前記係合部と係合可能な被係合部が設けられていることを特徴とする混注部材（５０）。
【請求項９】
請求項７又は８に記載の混注部材（５０）を備えることを特徴とする医療用回路（１）。
【発明の詳細な説明】
【技術分野】
【０００１】
本発明は、接続用アダプタ、混注部材及び医療用回路に関する。
【背景技術】
【０００２】
血液回路や輸液回路等の医療用回路に設けられた混注部材の混注部にシリンジ等を接続するための接続用アダプタとして、従来、針管と、針管を覆うように構成された略筒状の針保護フードと、シリンジ等と接続される螺合接続部とを備える接続用アダプタが知られている（例えば、特許文献１〜３参照。）。針保護フードの先端側には、Ｕ字状の切欠きが２つ設けられている。螺合接続部の外周面には、螺旋状突起が設けられている。
【０００３】
なお、この明細書において、「針保護フードの先端側」とは、針保護フードの端部のうち混注部材と接続したときに混注部材のチューブ接続部により近い方の端部側（すなわち、螺合接続部とは反対の端部側）のことをいう。
【０００４】
従来の接続用アダプタによれば、針管を覆うように針保護フードが設けられているため、接続用アダプタを混注部に接続するときなどにおいて、使用者が誤って針管を自分に刺してしまう事故（いわゆる誤刺）の発生を抑制することができる。また、針保護フードの先端側にＵ字状の切欠きが２つ設けられているため、接続用アダプタを混注部に接続したときに、混注部材のチューブ接続部（又は当該チューブ接続部に接続されたチューブ）に針保護フードが干渉してしまう（ぶつかってしまう）のを防止することができる。さらにまた、螺合接続部の外周面には螺旋状突起が設けられているため、例えばルアーロック式（ねじ込み式）シリンジのように接続部位がルアーロック式である物（以下、ルアーロック式シリンジ等という。）と好適に接続可能である。
【先行技術文献】
【特許文献】
【０００５】
【特許文献１】特開２００７−２９５９９８号公報
【特許文献２】特開２００２−１１３１１１号公報
【特許文献３】特開２００６−３４５９１６号公報
【発明の概要】
【発明が解決しようとする課題】
【０００６】
ところで、ルアーロック式シリンジ等と接続可能な接続用アダプタにおいて、混注部から接続用アダプタを取り外すときの取り外し易さ（以下、取り外し容易性という。）を向上させたいという要求がある。
【０００７】
そこで、本発明は、このような事情に鑑みてなされたもので、ルアーロック式シリンジ等と接続可能な接続用アダプタであって、誤刺の発生を抑制しつつ、接続時における針保護フードの干渉を防止することができ、従来よりも取り外し容易性が向上した接続用アダプタ、混注部材及び医療用回路を提供することを目的とする。
【課題を解決するための手段】
【０００８】
［１］本発明者らは、上記目的を達成するため、従来よりも取り外し容易性を向上させるための手段を探るべく鋭意研究を重ねた。その研究過程において、接続用アダプタが混注部に接続された状態で針管を軸として接続用アダプタを回転させたときに、その回転動作に応じて接続用アダプタが混注部から抜ける方向（以下、抜き取り方向）に移動するように構成されていれば、接続用アダプタを抜くのに必要な力が従来よりも小さくて済み、結果として従来よりも取り外し容易性が向上すると考えた。
【０００９】
本発明者らはこの考えに基づき、接続用アダプタの回転動作に応じて接続用アダプタを抜き取り方向に移動させるための手段を探るべく、さらなる研究を重ねた。その結果、混注部材のチューブ接続部（又はチューブ接続部と接続されたチューブ）の外周面が曲面であることと、針保護フードに設けられた切欠きの切欠き形状とに着目し、接続用アダプタを回転させたときに混注部材のチューブ接続部（又はチューブ接続部と接続されたチューブ）と接触する部分の切欠き形状が、螺合接続部側から針保護フードの先端側に向けて広がる形状であれば、後述するように接続用アダプタの回転動作に応じて接続用アダプタが抜き取り方向に移動し、結果として従来よりも取り外し容易性が向上することに想到し、本発明を完成させるに至った。
【００１０】
すなわち、本発明の接続用アダプタ（１００）は、針管（１１０）と、前記針管（１１０）を覆うように構成され、先端側に少なくとも１つの切欠き（１２２）が設けられた針保護フード（１２０）と、前記針管（１１０）と連通し、管状の螺合接続部（１４０）とを備え、前記針管の中心軸を含む仮想平面（Ｖ）でもって前記切欠き（１２２）を２つに分割したときの、一方側の切欠き部分を第１切欠き部（１２４）とし、他方側の切欠き部分を第２切欠き部（１２８）としたとき、前記第１及び第２切欠き部のうち少なくとも一方は、前記螺合接続部（１４０）側から前記針保護フード（１２０）の先端側に向けて広がる切欠き形状を有することを特徴とする。
【００１１】
このため、本発明の接続用アダプタによれば、針管を覆うように針保護フードが設けられているため、誤刺の発生を抑制することができる。また、針保護フードの先端側に少なくとも１つの切欠きが設けられているため、接続時における針保護フードの干渉を防止することができる。さらにまた、螺合接続部を備えているため、ルアーロック式シリンジ等と好適に接続可能である。
【００１２】
また、本発明の接続用アダプタによれば、上記した第１及び第２切欠き部のうち少なくとも一方は、螺合接続部側から針保護フードの先端側に向けて広がる切欠き形状を有するため、当該切欠き形状を有する部分が混注部材のチューブ接続部（又はチューブ接続部と接続されたチューブ）と接触する方向に向けて、接続用アダプタを回転させると、その回転動作にともなって当該切欠き形状を有する部分が混注部材のチューブ接続部（又はチューブ接続部と接続されたチューブ）の外周面を乗り上げ、接続用アダプタが徐々に抜き取り方向に移動することとなる。その結果、接続用アダプタを抜くのに必要な力が従来よりも小さくて済み、従来よりも取り外し容易性を向上させることができる。
【００１３】
したがって、本発明の接続用アダプタは、ルアーロック式シリンジ等と接続可能な接続用アダプタであって、誤刺の発生を抑制しつつ、接続時における針保護フードの干渉を防止することができ、従来よりも取り外し容易性が向上した接続用アダプタとなる。
【００１４】
［２］本発明の接続用アダプタ（１００）においては、前記螺合接続部（１４０）が上に位置し前記針保護フード（１２０）が下に位置するようにして前記切欠き（１２２）を正面から見たとき、前記第１切欠き部（１２４）は前記仮想平面（Ｖ）に対して右側に位置し、前記第２切欠き部（１２８）は前記仮想平面（Ｖ）に対して左側に位置し、前記螺合接続部（１４０）の外周面には、右上がりの螺旋状突起（１４２）が設けられており、少なくとも前記第１切欠き部（１２４）が、前記螺合接続部（１４０）側から前記針保護フード（１２０）の先端側に向けて広がる切欠き形状を有することが好ましい。
【００１５】
ルアーロック式シリンジ等における、接続用アダプタの螺合接続部と螺合接続させる部分（以下、ルアーロック部）の構成が、接続用アダプタに対して時計回りに回すことでロック可能なものである場合、上記のように構成することにより、ルアーロック式シリンジ等を回転させることで、ルアーロック部と螺合接続部との螺合接続は解除されないまま、混注部材本体から接続用アダプタを比較的容易に取り外すことが可能となる。
【００１６】
［３］本発明の接続用アダプタ（１００）においては、前記切欠き形状は、半アーチ形状であることが好ましい。
【００１７】
［４］本発明の接続用アダプタ（２００）においては、前記切欠き形状は、前記螺合接続部（２４０）側に位置する第１曲面部（２２５）と前記針保護フード（２２０）の先端側に位置する第２曲面部（２２６）とが組み合わされた形状であり、前記第１曲面部（２２５）は、半アーチ形状であることが好ましい。
【００１８】
［５］本発明の接続用アダプタ（３００）においては、前記切欠き形状は、前記螺合接続部（３４０）側に位置する曲面部（３２５）と前記針保護フード（３２０）の先端側に位置する直線部（３２６）とが組み合わされた形状であり、前記曲面部（３２５）は、半アーチ形状であり、前記直線部（３２６）は、前記曲面部（３２５）との境界部分から前記針保護フード（３２０）の先端側に向けて広がるように傾斜した形状であることが好ましい。
【００１９】
［６］本発明の接続用アダプタ（４００）においては、前記切欠き形状は、前記螺合接続部（４４０）側から前記針保護フード（４２０）の先端側に向けて広がるように傾斜した直線部分を含む形状であることが好ましい。
【００２０】
上記［３］〜［６］に記載した構成とすることにより、接続用アダプタの回転動作に応じた接続用アダプタの抜き取り方向への移動を、確実に実現することができる。
【００２１】
［７］本発明の接続用アダプタ（１００）においては、前記切欠き（１２２）は、前記針保護フード（１２０）の先端側に２つ設けられており、当該２つの切欠き（１２２）は、前記針管（１１０）を間にして対向配置されていることが好ましい。
【００２２】
このように構成することにより、ラインの途中に配設された混注部材（混注部材を中心として対称となる位置でチューブが１本ずつ接続されたもの）と接続するにあたって、特に適したものとなる。
【００２３】
［８］本発明の混注部材（５０）は、医療用回路内に配設可能に構成された混注部材本体（１５０）と、本発明の接続用アダプタ（１００）とを備え、前記混注部材本体（１５０）は、前記医療用回路のチューブと接続可能に構成されたチューブ接続部（１６２，１６４）と、前記チューブ接続部（１６２，１６４）と連通する混注部（１７０）と、前記接続用アダプタ（１００）を保持するアダプタ保持部（１８０）とを有することを特徴とする。
【００２４】
このため、本発明の混注部材によれば、上記した優れた接続用アダプタを備えているため、ルアーロック式シリンジ等と接続可能な混注部材であって、誤刺の発生を抑制しつつ、接続時における針保護フードの干渉を防止することができ、従来よりも取り外し容易性が向上した混注部材となる。
【００２５】
［９］本発明の混注部材（５０）においては、前記混注部材本体（１５０）には、前記接続用アダプタ（１００）を前記混注部材本体（１５０）に接続したときに、当該接続状態を維持する係合部が設けられており、前記接続用アダプタ（１００）には、前記接続用アダプタ（１００）を前記混注部材本体（１５０）に接続したときに、前記係合部と係合可能な被係合部が設けられていることが好ましい。
【００２６】
このように構成することにより、接続用アダプタを混注部材本体に接続したときの望ましくない外れを抑制することが可能となる。
【００２７】
［１０］本発明の混注部材（５０）においては、前記係合部は、所定の突出高さからなる突起（１９０）であり、前記被係合部は、前記接続用アダプタ（１００）を前記混注部材本体（１５０）に接続したときに、前記突起（１９０）と嵌合する嵌合孔（１３０）であることが好ましい。
【００２８】
このように構成することにより、突起と嵌合孔という比較的簡易な構成でもって、接続用アダプタと混注部材本体との接続状態を維持することができる。また、突起と嵌合孔という組み合わせであれば、接続用アダプタを取り外すにあたって接続用アダプタを回転させたときに、突起と嵌合孔との係合状態をさほど大きな力を必要とせずに解除することが可能となる。
【００２９】
［１１］本発明の混注部材においては、前記接続用アダプタ（１００）は、プラスチック材料からなることが好ましい。
【００３０】
プラスチック材料からなる接続用アダプタは、金属材料からなる接続用アダプタに比べて剛性が低いことから、接続用アダプタを取り外すにあたって接続用アダプタを回転させたときに、上記した係合部と被係合部との係合状態をさほど大きな力を必要とせずに解除することが可能となる。
【００３１】
［１２］本発明の医療用回路（１）は、本発明の混注部材（５０）を備えることを特徴とする。
【００３２】
このため、本発明の医療用回路によれば、上記した優れた混注部材を備えているため、ルアーロック式シリンジ等を接続することができ、ルアーロック式シリンジ等を接続する際の誤刺防止性や混注部材との接続性に優れ、ルアーロック式シリンジ等との接続を解除する際の取り外し容易性にも優れた医療用回路となる。
【００３３】
なお、特許請求の範囲及び本欄（課題を解決するための手段の欄）に記載した各部材等の文言下に括弧をもって付加された符号は、特許請求の範囲及び本欄に記載された内容の理解を容易にするために用いられたものであって、特許請求の範囲及び本欄に記載された内容を限定するものではない。
【図面の簡単な説明】
【００３４】
【図１】実施形態１に係る医療用回路１の概略図。
【図２】実施形態１に係る混注部材５０を説明するために示す図。
【図３】実施形態１に係る接続用アダプタ１００の斜視図。
【図４】実施形態１に係る接続用アダプタ１００を説明するために示す図。
【図５】実施形態１に係る接続用アダプタ１００の側面図。
【図６】図５のＡ−Ａ線断面図。
【図７】実施形態１に係る混注部材本体１５０の斜視図。
【図８】実施形態１に係る混注部材本体１５０を説明するために示す図。
【図９】実施形態１に係る混注部材本体１５０を説明するために示す図。
【図１０】実施形態１に係る混注部材本体１５０及び接続用アダプタ１００を説明するために示す図。
【図１１】実施形態１に係る混注部材５０（接続用アダプタ１００）の使用方法を説明するために示す図。
【図１２】実施形態１に係る混注部材５０（接続用アダプタ１００）の使用方法を説明するために示す図。
【図１３】実施形態１に係る混注部材５０（接続用アダプタ１００）の使用方法を説明するために示す図。
【図１４】実施形態２に係る接続用アダプタ２００を説明するために示す図。
【図１５】実施形態３に係る接続用アダプタ３００を説明するために示す図。
【図１６】実施形態４に係る接続用アダプタ４００を説明するために示す図。
【図１７】実施形態５に係る混注部材本体５５０を説明するために示す図。
【発明を実施するための形態】
【００３５】
以下、本発明の接続用アダプタ、混注部材及び医療用回路について、図に示す実施の形態に基づいて説明する。
【００３６】
［実施形態１］
まず、実施形態１に係る医療用回路１の構成について、図１を用いて詳細に説明する。
図１は、実施形態１に係る医療用回路１の概略図である。
【００３７】
医療用回路１は、血液透析用の血液回路であって、図１に示すように、血液処理器（ダイアライザーともいう。）１０と、動脈側回路２０と、静脈側回路３０と、動脈側回路２０の回路内に配設された混注部材５０とを備える。血液処理器１０は、例えば中空糸型の血液処理器である。動脈側回路２０は、血液処理器１０の一方端部に接続されており、静脈側回路３０は、血液処理器１０の他方端部に接続されている。
【００３８】
動脈側回路２０は、チューブ２１〜２４と、チューブ２１とチューブ２２の間に配置されたドリップチャンバ２５と、チューブ２２とチューブ２３との間に配置されたローリングチューブ２６と、チューブ２４の端部に配置されたシャントキャップ２７とを有する。チューブ２３には、プライミング液としての生理食塩水を回路内に導入するための生食ライン４１と、ヘパリン液を回路内に導入するためのヘパリンライン４２とが接続されている。ドリップチャンバ２５には、モニターラインが接続されている。チューブ２３とチューブ２４の間には、回路内に薬液等を注入したり回路内から血液を採取したりするための混注部材５０が配置されている。
【００３９】
静脈側回路３０は、チューブ３１，３２と、チューブ３１とチューブ３２の間に配置されたドリップチャンバ３３と、チューブ３２の端部に配置されたシャントキャップ３４とを有する。ドリップチャンバ３３には、プライミング処理時に余分な生理食塩水を排出するための排液ライン４４と、モニターライン４５とが接続されている。
【００４０】
動脈側回路２０のシャントキャップ２７と静脈側回路３０のシャントキャップ３４とは、オス−メス嵌合可能に構成されており、医療用回路１のプライミング処理（回路内の異物・空気除去）を行う際に用いられる。
【００４１】
次に、実施形態１に係る混注部材５０について、図２を用いて詳細に説明する。
【００４２】
図２は、実施形態１に係る混注部材５０を説明するために示す図である。図２（ａ）は混注部材５０の構成部品を示す図であり、図２（ｂ）はアダプタ用キャップ６０の端面図であり、図２（ｃ）は被冠部材８０の端面図である。なお、図２（ａ）において、アダプタ用キャップ６０と被冠部材８０については、部材の一部を断面で図示している。
【００４３】
混注部材５０は、図２（ａ）に示すように、混注部材本体１５０と、ルアーロック式シリンジ等を混注部材本体１５０に接続するための接続用アダプタ１００と、接続用アダプタ１００の後述する螺合接続部１４０に装着されるアダプタ用キャップ６０と、混注部材本体１５０の後述する混注部１７０を栓止する栓止部材７０と、栓止部材７０によって混注部１７０が栓止された状態で混注部１７０を外側から覆うように装着される被冠部材８０とを備える。
【００４４】
アダプタ用キャップ６０は、図２（ｂ）に示すように、内周面に螺旋状突起６２が設けられた筒状部材であり、接続用アダプタ１００の後述する螺合接続部１４０に嵌合可能に構成されている。アダプタ用キャップ６０の中心部分には、アダプタ用キャップ６０の開口側に向けて突出する凸部６４が設けられている。
【００４５】
栓止部材７０は、ゴム状の弾性体からなる。栓止部材７０としては、例えばシリコンゴムを好適に用いることができる。
【００４６】
被冠部材８０は、図２（ｃ）に示すように、円筒状部材であり、内周面に所定の凹凸形状からなる被係止部８２が設けられている。被係止部８２の凹凸形状は、後述する混注部１７０の係止部１７２の形状と対応しており、混注部１７０に被冠部材８０を装着したときに、係止部１７２と被係止部８２とが係止可能に構成されている。
【００４７】
混注部材本体１５０については、詳細に後述する。
【００４８】
次に、実施形態１に係る接続用アダプタ１００の構成について、図３〜図６を用いて詳細に説明する。
【００４９】
図３は、実施形態１に係る接続用アダプタ１００の斜視図である。図３（ａ）は螺合接続部１４０に対して針保護フード１２０が手前側となるようにして見たときの斜視図であり、図３（ｂ）は針保護フード１２０に対して螺合接続部１４０が手前側となるようにして見たときの斜視図である。
図４は、実施形態１に係る接続用アダプタ１００を説明するために示す図である。図４（ａ）は螺合接続部１４０が上に位置し針保護フード１２０が下に位置するようにして接続用アダプタ１００を見た図（正面図）であり、図４（ｂ）は図４（ａ）に示す図から一部の部材を削除した図である。なお、図４（ｂ）においては、発明の理解を容易にするため、針管１１０と、切欠き１２２の奥に見えるはずの針保護フード１２０を削除して図示している。
図５は、実施形態１に係る接続用アダプタ１００の側面図である。
図６は、図５のＡ−Ａ線断面図である。
【００５０】
接続用アダプタ１００は、図３〜図６に示すように、針管１１０と、針管１１０を覆うように構成された略筒状の針保護フード１２０と、被係合部としての２つの嵌合孔１３０と、円管状の螺合接続部１４０とを備える。針管１１０と螺合接続部１４０とは、連通している（図６参照。）。
【００５１】
針保護フード１２０の先端側には、２つの切欠き１２２が設けられている（図３参照。）。２つの切欠き１２２は、針管１１０を間にして対向配置されている。螺合接続部１４０が上に位置し針保護フード１２０が下に位置するようにして切欠き１２２を正面から見たとき（図４（ｂ）参照。）、針管１１０の中心軸を含む仮想平面Ｖでもって切欠き１２２を２つに分割した右側に第１切欠き部１２４が位置し、左側に第２切欠き部１２８が位置する。
【００５２】
第１切欠き部１２４は、螺合接続部１４０側から針保護フード１２０の先端側に向けて広がる切欠き形状を有する。実施形態１に係る接続用アダプタ１００においては、第１切欠き部１２４の当該切欠き形状は、半アーチ形状である。
なお、この明細書において「半アーチ形状」とは、平面的に見たときに所定の曲率からなる１つの曲線で構成された形状のことをいう。
【００５３】
第２切欠き部１２８の切欠き形状は、平面的に見たときに所定の曲率からなる曲線と直線とが組み合わされた形状である。第２切欠き部１２８の直線部分は、針管１１０の中心軸に平行な方向に伸びている。
【００５４】
切欠き１２２における螺合接続部１４０側の位置には、所定長さのスリット１３２が設けられている。
【００５５】
針保護フード１２０の外周面には、指で把持しやすいように複数のリブ１３４が設けられている。
【００５６】
２つの嵌合孔１３０は、平面視円形状の孔であって、針保護フード１２０の先端側の所定位置に針管１１０を間にして対向配置されている。嵌合孔１３０は、接続用アダプタ１００を混注部材本体１５０に接続したときに、混注部材本体１５０の後述する突起１９０と係合するように構成されている。
【００５７】
螺合接続部１４０の外周面には、螺旋状突起１４２が設けられている。螺合接続部１４０が上に位置し針保護フード１２０が下に位置するようにして接続用アダプタ１００を見たとき（図４参照。）、螺旋状突起１４２は、右上がりの螺旋構造となっている。
【００５８】
接続用アダプタ１００を構成する各部材は、金型により一体成形されている。接続用アダプタ１００を構成する材料としては、例えばポリプロピレンやポリカーボネートなどのプラスチック材料を好適に用いることができる。実施形態１に係る接続用アダプタ１００においては、例えばポリプロピレンを材料として用いている。
【００５９】
次に、実施形態１に係る混注部材本体１５０の構成について、図７〜図１０を用いて詳細に説明する。
【００６０】
図７は、実施形態１に係る混注部材本体１５０の斜視図である。図７（ａ）は２つのチューブ接続部１６２，１６４のうちチューブ接続部１６２が手前側となるようにして見たときの斜視図であり、図７（ｂ）はチューブ接続部１６４が手前側となるようにして見たときの斜視図である。
図８は、実施形態１に係る混注部材本体１５０を説明するために示す図である。図８（ａ）はチューブ接続部１６２が手前側に位置するようにして混注部材本体１５０を見た図（正面図）であり、図８（ｂ）はチューブ接続部１６４が手前側に位置するようにして混注部材本体１５０を見た図（背面図）である。
図９は、実施形態１に係る混注部材本体１５０を説明するために示す図である。図９（ａ）は混注部材本体１５０の側面図であり、図９（ｂ）は図８（ｂ）のＢ−Ｂ線断面図である。
図１０は、実施形態１に係る混注部材本体１５０及び接続用アダプタ１００を説明するために示す図である。図１０（ａ）は鞍状部１８２に接続用アダプタ１００を収納した状態（以下、アダプタ収納状態）において、チューブ接続部１６２が手前側に位置するようにして混注部材本体１５０及び接続用アダプタ１００を見た斜視図であり、図１０（ｂ）はアダプタ収納状態において、チューブ接続部１６４が手前側に位置するようにして混注部材本体１５０及び接続用アダプタ１００を見た斜視図である。
【００６１】
混注部材本体１５０は、図７〜図９に示すように、医療用回路１のチューブと接続可能に構成されたチューブ接続部１６２，１６４と、チューブ接続部１６２，１６４と連通する混注部１７０と、接続用アダプタ１００を保持するアダプタ保持部１８０と、係合部としての２つの突起１９０とを有する。
【００６２】
チューブ接続部１６２，１６４は円管状部材であり、チューブ接続部１６２とチューブ接続部１６４とが一直線上に位置するように配置されている。一方側のチューブ接続部１６２は、図１に示す動脈側回路２０のチューブ２３の端部と接続されており、他方側のチューブ接続部１６４は、同じく動脈側回路２０のチューブ２４の端部と接続されている。
【００６３】
混注部１７０は円管状部材であり、開口部の近傍に係止部１７２が設けられている。混注部１７０の係止部１７２と被冠部材８０の被係止部８２とは、互いに係止可能に構成されている。混注部１７０は、混注部１７０の管軸がチューブ接続部１６２，１６４の管軸と直交するように配置されている。
【００６４】
アダプタ保持部１８０は、鞍形状（断面略コの字状）の鞍状部１８２と、鞍状部１８２の内側に配置された管状の針管収納部１８４と、針管収納部１８４を支持する略板状の支持部１８６と、鞍状部１８２の外側の面に設けられた複数のリブ１８８とを有する。複数のリブ１８８が設けられていることにより、混注部材本体１５０を指で把持しやすくなる。
【００６５】
針管収納部１８４の孔は、図７及び図９（ｂ）に示すように、チューブ接続部１６２側に向けて開いている。また、支持部１８６の厚みは、接続用アダプタ１００に設けられたスリット１３２のスリット幅と対応している。この針管収納部１８４の孔に対して接続用アダプタ１００の針管１１０を挿入するとともに、スリット１３２に対して支持部１８６を嵌め込むことにより、図１０に示すように、鞍状部１８２内に接続用アダプタ１００を収納することができる。
【００６６】
突起１９０は、断面円形状の棒状部材であって、チューブ接続部１６２，１６４と混注部１７０との付け根部分に設けられている。突起１９０は、接続用アダプタ１００を混注部材本体１５０に接続したときに、当該接続状態を維持する機能を有する。突起１９０の突出高さは、接続用アダプタ１００を混注部材本体１５０に接続したときに、接続用アダプタ１００の嵌合孔１３０と嵌合可能な高さである。
【００６７】
混注部材本体１５０を構成する各部材は、金型により一体成形されている。混注部材本体１５０を構成する材料としては、例えばポリカーボネート、ポリ塩化ビニル、ＡＢＳ（アクリロニトリル−ブタジエン−スチレン）樹脂などのプラスチック材料を好適に用いることができる。実施形態１に係る混注部材本体１５０においては、例えばポリカーボネートを材料として用いている。
【００６８】
次に、上記した混注部材５０（混注部材本体１５０）にルアーロック式シリンジを接続する方法及び混注部材５０（混注部材本体１５０）からルアーロック式シリンジを取り外す方法について、図１１〜図１３を用いて詳細に説明する。なお、以下の説明においては、薬液が充填されたルアーロック式シリンジ９０を例にして説明する。
【００６９】
図１１〜図１３は、実施形態１に係る混注部材５０（接続用アダプタ１００）の使用方法を説明するために示す図である。図１１（ａ）は混注部材本体１５０の鞍状部１８２内に収納された接続用アダプタ１００を示す図であり、図１１（ｂ）は図１１（ａ）に示す接続用アダプタ１００からアダプタ用キャップ６０を取り外した状態を示す図であり、図１１（ｃ）は螺合接続部１４０にルアーロック式シリンジ９０のルアーロック部９２を接続する前の様子を示す図であり、図１１（ｄ）は螺合接続部１４０にルアーロック部９２を接続した後の様子を示す図である。なお、図１１（ａ）〜図１１（ｄ）においては、発明の理解を容易にするため、混注部材本体１５０の一部（鞍状部１８２の部分）を切り欠いて図示している。また、図１１（ａ）〜図１１（ｃ）において、接続用アダプタ１００の一部（針保護フード１２０等）を断面で図示するとともに、図１１（ｃ）において、ルアーロック式シリンジ９０のルアーロック部９２の部分を断面で図示している。図１２（ａ）はルアーロック式シリンジ９０を混注部材本体１５０に接続する前の様子を示す図であり、図１２（ｂ）はルアーロック式シリンジ９０を混注部材本体１５０に接続したときの様子を示す図であり、図１２（ｃ）はルアーロック式シリンジ９０内に充填された薬液を注入する様子を示す図である。図１３（ａ）ルアーロック式シリンジ９０を混注部材本体１５０から取り外すときの様子を示す図であり、図１３（ｂ）は図１３（ａ）の要部を拡大して示す図であり、図１３（ｃ）はルアーロック式シリンジ９０を混注部材本体１５０から取り外した後の様子を示す図である。
なお、図１１〜図１３においては、混注部材本体１５０のチューブ接続部１６２，１６４に接続されたチューブ２３，２４（図１参照。）の図示を省略している。
【００７０】
混注部材５０にルアーロック式シリンジ９０を接続するにあたって、まず、混注部材本体１５０の鞍状部１８２内に収納された接続用アダプタ１００から、アダプタ用キャップ６０を取り外す（図１１（ａ）及び図１１（ｂ）参照。）。
【００７１】
次に、図１１（ｃ）に示すように、接続用アダプタ１００に対してルアーロック式シリンジ９０を回転させながら、ルアーロック式シリンジ９０のルアーロック部９２を螺合接続部１４０と接続し、ルアーロック式シリンジ９０とともに接続用アダプタ１００を混注部材本体１５０から取り外す（図１１（ｄ）参照。）。
【００７２】
次に、混注部材本体１５０の混注部１７０に配置された栓止部材７０（栓止部材７０については図２参照。）に対して、接続用アダプタ１００の針管１１０を垂直方向から穿刺して、接続用アダプタ１００と混注部材本体１５０とを接続する（図１２（ａ）及び図１２（ｂ）参照。）。このとき、嵌合孔１３０と突起１９０とが係合する位置まで栓止部材７０に針管１１０を穿刺すると、突起１９０が嵌合孔１３０に嵌合して“パチン”という音が発生し、混注部材本体１５０内部で針管１１０とチューブ接続部１６２，１６４とが連通した状態となる。つまり、医療用回路１のチューブ２３，２４とルアーロック式シリンジ９０とが、混注部材５０を介して接続された状態となる。接続用アダプタ１００と混注部材本体１５０との接続が完了した状態で、図１２（ｃ）に示すように、ルアーロック式シリンジ９０のピストン部９４を押すと、ルアーロック式シリンジ９０内に充填された薬液が医療用回路１内に注入されることとなる。
【００７３】
混注部材本体１５０からルアーロック式シリンジ９０を取り外すにあたっては、図１３（ａ）に示すように、ルアーロック式シリンジ９０（及び接続用アダプタ１００）を、混注部材本体１５０に対して時計回りに回転させる。すると、図１３（ｂ）に示すように、チューブ接続部１６２の外周面と、第１切欠き部１２４とが接触する。このとき、チューブ接続部１６２の外周面が曲面であることに加えて、第１切欠き部１２４の切欠き形状が、螺合接続部１４０側から針保護フード１２０の先端側に向けて広がる形状であることから、ルアーロック式シリンジ９０（及び接続用アダプタ１００）を徐々に回転させていくと、その回転動作にともなって第１切欠き部１２４の部分がチューブ接続部１６２（反対側のチューブ接続部１６４についても同様である。）の外周面を乗り上げ、接続用アダプタ１００が抜き取り方向（図１３（ａ）に示す直線矢印方向）に徐々に押し上げられる。また、ルアーロック式シリンジ９０（及び接続用アダプタ１００）を時計回りに回転させると、図１３（ａ）及び図１３（ｂ）に示すように、針保護フード１２０の先端側のうち切欠き１２２が設けられていない部分が広げられ、その結果、突起１９０と嵌合孔１３０との係合状態が解除される。
以上の操作により、図１３（ｃ）に示すように、混注部材本体１５０からルアーロック式シリンジ９０を比較的容易に取り外すことができる。
【００７４】
なお、ここでは薬液が充填されたルアーロック式シリンジ９０を例にして、混注部材５０（混注部材本体１５０）にルアーロック式シリンジを接続する方法及び混注部材５０（混注部材本体１５０）からルアーロック式シリンジを取り外す方法について説明したが、血液採取用のルアーロック式シリンジを接続又は取り外す方法についても同様である。
【００７５】
以上のように構成された実施形態１に係る接続用アダプタ１００によれば、針管１１０を覆うように針保護フード１２０が設けられているため、誤刺の発生を抑制することができる。また、針保護フード１２０の先端側に切欠き１２２が設けられているため、接続時における針保護フード１２０の干渉を防止することができる。さらにまた、螺合接続部１４０を備えているため、ルアーロック式シリンジ９０等と好適に接続可能である。
【００７６】
また、実施形態１に係る接続用アダプタ１００によれば、第１切欠き部１２４は、螺合接続部１４０側から針保護フード１２０の先端側に向けて広がる切欠き形状を有するため、当該切欠き形状を有する部分がチューブ接続部１６２，１６４と接触する方向に向けて、接続用アダプタ１００を回転させると、その回転動作にともなって当該切欠き形状を有する部分がチューブ接続部１６２，１６４の外周面を乗り上げ、接続用アダプタ１００が徐々に抜き取り方向に移動することとなる。その結果、接続用アダプタ１００を抜くのに必要な力が従来よりも小さくて済み、従来よりも取り外し容易性を向上させることができる。
【００７７】
したがって、実施形態１に係る接続用アダプタ１００は、ルアーロック式シリンジ等と接続可能な接続用アダプタであって、誤刺の発生を抑制しつつ、接続時における針保護フードの干渉を防止することができ、従来よりも取り外し容易性が向上した接続用アダプタとなる。
【００７８】
実施形態１に係る接続用アダプタ１００においては、図４に示すようにして切欠き１２２を正面から見たとき、第１切欠き部１２４は仮想平面Ｖに対して右側に位置しており、螺合接続部１４０の外周面には、右上がりの螺旋状突起１４２が設けられている。また、第１切欠き部１２４が、螺合接続部１４０側から針保護フード１２０の先端側に向けて広がる切欠き形状を有する。これにより、ルアーロック式シリンジ９０を混注部材本体１５０に対して時計回りに回転させることで、ルアーロック部９２と螺合接続部１４０との螺合接続は解除されないまま、混注部材本体１５０から接続用アダプタ１００を比較的容易に取り外すことが可能となる。
【００７９】
ところで、ルアーロック式シリンジ９０が接続された接続用アダプタ１００を混注部材本体１５０に接続させているときに、その混注部材本体１５０から接続用アダプタ１００を取り外すにあたって、ルアーロック式シリンジ９０（及び接続用アダプタ１００）を、混注部材本体１５０に対して時計回りか反時計回りのいずれの方向に回すのかが重要な鍵となる。なぜなら、ルアーロック式シリンジ９０と接続用アダプタ１００との接続状態は、接続用アダプタ１００に対してルアーロック式シリンジ９０を反時計回りに回転させると解除されてしまうからである。すなわち、混注部材本体１５０から接続用アダプタ１００を取り外すにあたって、仮に、ルアーロック式シリンジ９０（及び接続用アダプタ１００）を混注部材本体１５０に対して反時計回りに回転させた場合、接続用アダプタ１００と混注部材本体１５０との接続ではなく、ルアーロック式シリンジ９０と接続用アダプタ１００との接続が解除されてしまうという望ましくない事態が起こりかねない。
このような問題に対し、実施形態１に係る接続用アダプタ１００においては、第２切欠き部１２８の切欠き形状は、上述したように平面的に見たときに所定の曲率からなる曲線と直線とが組み合わされた形状である。つまり、第２切欠き部１２８に直線部分（針管１１０の中心軸に平行な方向に伸びる直線）が存在することから、混注部材本体１５０からルアーロック式シリンジ９０を取り外すにあたって、仮に、ルアーロック式シリンジ９０（及び接続用アダプタ１００）を混注部材本体１５０に対して反時計回りに回転させようとしたとしても、その回転操作は規制されることとなる。その結果、ルアーロック式シリンジ９０と接続用アダプタ１００との接続が解除されてしまうという望ましくない事態の発生を極力抑制することができる。
【００８０】
実施形態１に係る接続用アダプタ１００においては、第１切欠き部１２４の切欠き形状は、半アーチ形状である。これにより、接続用アダプタ１００の回転動作に応じた接続用アダプタ１００の抜き取り方向への移動を、確実に実現することができる。
【００８１】
実施形態１に係る接続用アダプタ１００においては、切欠き１２２は、針保護フード１２０の先端側に２つ設けられており、２つの切欠き１２２は、針管１１０を間にして対向配置されている。これにより、ラインの途中に配設された混注部材本体１５０と接続するにあたって、特に適したものとなる。
【００８２】
実施形態１に係る接続用アダプタ１００においては、切欠き１２２における螺合接続部１４０側の位置にスリット１３２が設けられているため、図１３（ａ）及び図１３（ｂ）に示す状態でルアーロック式シリンジ９０（及び接続用アダプタ１００）を回転させたときに、針保護フード１２０の先端部分がより開きやすくなる。その結果、取り外し容易性をさらに向上させることができる。
【００８３】
実施形態１に係る混注部材５０は、上記した優れた接続用アダプタ１００を備えているため、ルアーロック式シリンジ等と接続可能な混注部材であって、誤刺の発生を抑制しつつ、接続時における針保護フードの干渉を防止することができ、従来よりも取り外し容易性が向上した混注部材となる。
【００８４】
実施形態１に係る混注部材５０においては、混注部材本体１５０には、接続用アダプタ１００を混注部材本体１５０に接続したときに、当該接続状態を維持する係合部としての突起１９０が設けられており、接続用アダプタ１００には、接続用アダプタ１００を混注部材本体１５０に接続したときに、突起１９０と係合可能な被係合部としての嵌合孔１３０が設けられている。これにより、接続用アダプタ１００を混注部材本体１５０に接続したときの望ましくない外れを抑制することが可能となる。また、突起と嵌合孔という比較的簡易な構成でもって、接続用アダプタ１００と混注部材本体１５０との接続状態を維持することができる。また、突起と嵌合孔という組み合わせであれば、接続用アダプタ１００を取り外すにあたって接続用アダプタ１００を回転させたときに、突起１９０と嵌合孔１３０との係合状態をさほど大きな力を必要とせずに解除することが可能となる。さらにまた、接続用アダプタ１００及び混注部材本体１５０の材料によって異なるが、突起１９０を嵌合孔１３０に嵌合させた瞬間に“パチン”という音が発生することから、接続用アダプタ１００と混注部材本体１５０との接続が完了したことをより明確に認識することが可能となる。
【００８５】
実施形態１に係る混注部材５０においては、接続用アダプタ１００は、プラスチック材料からなる。これにより、接続用アダプタ１００を取り外すにあたって接続用アダプタ１００を回転させたときに、突起１９０と嵌合孔１３０との係合状態をさほど大きな力を必要とせずに解除することが可能となる。
【００８６】
実施形態１に係る医療用回路１は、上記した優れた混注部材５０を備えているため、ルアーロック式シリンジ等を接続することができ、ルアーロック式シリンジ等を接続する際の誤刺防止性や混注部材との接続性に優れ、ルアーロック式シリンジ等との接続を解除する際の取り外し容易性にも優れた医療用回路となる。
【００８７】
［実施形態２〜４］
図１４は、実施形態２に係る接続用アダプタ２００を説明するために示す図である。図１４（ａ）は螺合接続部２４０が上に位置し針保護フード２２０が下に位置するようにして接続用アダプタ２００を見た図（正面図）であり、図１４（ｂ）は図１４（ａ）に示す図から一部の部材を削除した図である。
図１５は、実施形態３に係る接続用アダプタ３００を説明するために示す図である。図１５（ａ）は螺合接続部３４０が上に位置し針保護フード３２０が下に位置するようにして接続用アダプタ３００を見た図（正面図）であり、図１５（ｂ）は図１５（ａ）に示す図から一部の部材を削除した図である。
図１６は、実施形態４に係る接続用アダプタ４００を説明するために示す図である。図１６（ａ）は螺合接続部４４０が上に位置し針保護フード４２０が下に位置するようにして接続用アダプタ４００を見た図（正面図）であり、図１６（ｂ）は図１６（ａ）に示す図から一部の部材を削除した図である。
なお、図１４（ｂ）〜図１６（ｂ）においては、発明の理解を容易にするため、針管２１０〜４１０と、切欠き２２２〜４２２の奥に見えるはずの針保護フード２２０〜４２０を削除して図示している。
【００８８】
実施形態２〜４に係る接続用アダプタ２００〜４００は、基本的には実施形態１に係る接続用アダプタ１００と良く似た構成を有するが、切欠きの形状が実施形態１に係る接続用アダプタ１００とは異なる。
【００８９】
実施形態２に係る接続用アダプタ２００においては、図１４に示すように、切欠き２２２は、仮想平面Ｖに対して右側に位置する第１切欠き部２２４と、仮想平面Ｖに対して左側に位置する第２切欠き部２２８とから構成されている。
第１切欠き部２２４の切欠き形状は、螺合接続部２４０側から針保護フード２２０の先端側に向けて広がる形状であって、具体的には、螺合接続部２４０側に位置する第１曲面部２２５と針保護フード２２０の先端側に位置する第２曲面部２２６とが組み合わされた形状である。第１曲面部２２５の形状は、半アーチ形状であって、実施形態１で説明したチューブ接続部１６２，１６４の外周面に沿った形状である。「チューブ接続部１６２，１６４の外周面に沿った形状」とは、言い換えると、チューブ接続部１６２，１６４の外周面のうち、第１曲面部２２５と対応する部分の曲率と、ほぼ同一の曲率からなる曲線で構成された形状のことをいう。第２曲面部２２６の形状は、平面的に見たときに所定の曲率からなる曲線と直線とが組み合わされた形状である。第２曲面部２２６の直線部分は、針管２１０の中心軸に平行な方向に伸びている。
第２切欠き部２２８の切欠き形状は、平面的に見たときに所定の曲率からなる曲線と直線とが組み合わされた形状である。第２切欠き部２２８の直線部分は、針管２１０の中心軸に平行な方向に伸びている。
【００９０】
実施形態３に係る接続用アダプタ３００においては、図１５に示すように、切欠き３２２は、仮想平面Ｖに対して右側に位置する第１切欠き部３２４と、仮想平面Ｖに対して左側に位置する第２切欠き部３２８とから構成されている。
第１切欠き部３２４の切欠き形状は、螺合接続部３４０側から針保護フード３２０の先端側に向けて広がる形状であって、具体的には、螺合接続部３４０側に位置する曲面部３２５と針保護フード３２０の先端側に位置する直線部３２６とが組み合わされた形状である。曲面部３２５の形状は、半アーチ形状であって、実施形態１で説明したチューブ接続部１６２，１６４の外周面に沿った形状である。直線部３２６の形状は、曲面部３２５との境界部分から針保護フード３２０の先端側に向けて広がるように傾斜した形状である。
第２切欠き部３２８の切欠き形状は、実施形態２で説明した第２切欠き部２２８と同様の形状である。
【００９１】
実施形態４に係る接続用アダプタ４００においては、図１６に示すように、切欠き４２２は、仮想平面Ｖに対して右側に位置する第１切欠き部４２４と、仮想平面Ｖに対して左側に位置する第２切欠き部４２８とから構成されている。
第１切欠き部４２４の切欠き形状は、螺合接続部４４０側から針保護フード４２０の先端側に向けて広がる形状であって、具体的には、螺合接続部４４０側に位置する第１直線部４２５と針保護フード４２０の先端側に位置する第２直線部４２６とが組み合わされた形状である。第１直線部４２５は直線形状であって、仮想平面Ｖに対して直交する方向に伸びている。第２直線部４２６の形状は、第１直線部４２５との境界部分から針保護フード４２０の先端側に向けて広がるように傾斜した直線形状である。
第２切欠き部４２８の切欠き形状は、実施形態２で説明した第２切欠き部２２８と同様の形状である。
【００９２】
なお、切欠き２２２〜４２２以外の部材（針管２１０〜４１０、針保護フード２２０〜４２０のうち切欠き２２２〜４２２を除く部分、嵌合孔２３０〜４３０、スリット２３２〜４３２、リブ２３４〜４３４、螺合接続部２４０〜４４０）について、例えばリブ２３４〜４３４の数が少ないなどの多少の相違点はあるが、基本的には実施形態１で説明した各部材と同様の構成及び機能を有するため、詳細な説明は省略する。
【００９３】
このように、実施形態２〜４に係る接続用アダプタ２００〜４００は、実施形態１に係る接続用アダプタ１００とは切欠き（第１切欠き部）の形状が異なるが、針管２１０〜４１０を覆うように針保護フード２２０〜４２０が設けられているため、実施形態１に係る接続用アダプタ１００の場合と同様、誤刺の発生を抑制することができる。また、針保護フード２２０〜４２０の先端側に切欠き２２２〜４２２が設けられているため、実施形態１に係る接続用アダプタ１００の場合と同様、接続時における針保護フード２２０〜４２０の干渉を防止することができる。また、螺合接続部２４０〜４４０を備えているため、実施形態１に係る接続用アダプタ１００の場合と同様、ルアーロック式シリンジ等と好適に接続可能である。また、第１切欠き部２２４〜４２４の切欠き形状が、螺合接続部２４０〜４４０側から針保護フード２２０〜４２０の先端側に向けて広がる形状であるため、実施形態１に係る接続用アダプタ１００の場合と同様、接続用アダプタ２００〜４００を抜くのに必要な力が従来よりも小さくて済み、従来よりも取り外し容易性を向上させることができる。
したがって、実施形態２〜４に係る接続用アダプタ２００〜４００は、ルアーロック式シリンジ等と接続可能な接続用アダプタであって、誤刺の発生を抑制しつつ、接続時における針保護フードの干渉を防止することができ、従来よりも取り外し容易性が向上した接続用アダプタとなる。
【００９４】
実施形態２〜４に係る接続用アダプタ２００〜４００は、切欠き（第１切欠き部）の形状が異なる点以外では、実施形態１に係る接続用アダプタ１００と同様の構成を有するため、実施形態１に係る接続用アダプタ１００が有する効果のうち該当する効果をそのまま有する。
【００９５】
［実施形態５］
図１７は、実施形態５に係る混注部材本体５５０を説明するために示す図である。図１７（ａ）はチューブ接続部５６２が手前側に位置するようにして混注部材本体５５０を見た図（正面図）であり、図１７（ｂ）は混注部材本体５５０の側面図である。
【００９６】
実施形態５に係る混注部材本体５５０は、基本的には実施形態１に係る混注部材本体１５０と良く似た構成を有するが、突起部分の構成が実施形態１に係る混注部材本体１５０とは異なる。
【００９７】
すなわち、実施形態５に係る混注部材本体５５０においては、図１７に示すように、突起５９０の先端近傍につば部５９２が設けられている。つば部５９２は、突起５９２の一部（先端近傍）の外面に沿って設けられた略円形のつば（鍔）状の部材である。
つば部５９２は、図示による詳細な説明は省略するが、混注部材本体５５０に接続用アダプタ１００を接続したときに、嵌合孔１３０が設けられている部分の針保護フード１２０の内面と接するように、突起５９０の先端から少し離れた位置に設けられている。
【００９８】
なお、つば部５９２以外の部材については、実施形態１で説明した混注部材本体１５０の各部材と同様の構成及び機能を有するため、詳細な説明は書略する。
【００９９】
実施形態５に係る混注部材本体５５０においては、上記したつば部５９２を備えているため、混注部材本体５５０に接続用アダプタ１００を接続したときに、つば部５９２でもって針保護フード１２０をその内面から支えることが可能となる。その結果、混注部材本体５５０と接続用アダプタ１００との接続時において、接続用アダプタ１００が傾いてしまうのを抑制することが可能となる。
【０１００】
以上、本発明の接続用アダプタ、混注部材及び医療用回路を上記の各実施形態に基づいて説明したが、本発明は上記の各実施形態に限定されるものではなく、その要旨を逸脱しない範囲において種々の態様において実施することが可能であり、例えば次のような変形も可能である。
【０１０１】
（１）上記各実施形態においては、第１切欠き部が、螺合接続部側から針保護フードの先端側に向けて広がる切欠き形状を有しており、その切欠き形状として、実施形態１〜４における第１切欠き部１２４〜４２４の各形状を例示して説明したが、本発明はこれに限定されるものではない。接続用アダプタの回転動作に応じて接続用アダプタが抜き取り方向に移動するのであれば、当該切欠き形状は、他の形状（例えば、３つ以上の曲線が組み合わされた形状など）であってもよい。
【０１０２】
（２）上記各実施形態においては、第１切欠き部のみが、螺合接続部側から針保護フードの先端側に向けて広がる切欠き形状を有する場合を例示して説明したが、本発明はこれに限定されるものではない。第２切欠き部のみが、螺合接続部側から針保護フードの先端側に向けて広がる切欠き形状を有していてもよいし、第１切欠き部と第２切欠き部の両方が、螺合接続部側から針保護フードの先端側に向けて広がる切欠き形状を有していてもよい。前者の場合には、螺合接続部の外周面に設けられた螺旋状突起が左上がりである方が好ましい。
【０１０３】
（３）上記各実施形態においては、針保護フードの先端側に２つの切欠きが設けられており、当該２つの切欠きは針管を間にして対向配置されている場合を例示して説明したが、本発明はこれに限定されるものではない。例えば、針保護フードの先端側に１つ又は３つ以上の切欠きが設けられていてもよい。または、針保護フードの先端側に２つの切欠きが設けられているが、針管を間にして対向配置されておらず、例えば針管を中心として９０度となる位置関係で配置されていてもよい。すなわち、針保護フードの先端側に設けられる切欠きの数及び配置位置は、混注部材本体の形状等に合わせて適宜変更させてもよい。
【０１０４】
（４）上記各実施形態においては、係合部としての突起が断面円形状の棒状部材であり、被係合部としての嵌合孔が平面視円形状の孔である場合を例示して説明したが、本発明はこれに限定されるものではなく、例えば、突起が断面多角形状の角棒部材であり、嵌合孔が、当該突起の断面形状と対応する多角形状の孔であってもよい。また、上記各実施形態においては、混注部材本体に２つの突起が設けられ、接続用アダプタに２つの嵌合孔が設けられている場合を例示して説明したが、本発明はこれに限定されるものではなく、１つ又は３つ以上の突起及び嵌合孔が設けられていてもよい。また、上記各実施形態においては、係合部が突起であり、被係合部が嵌合孔である場合を例示して説明したが、本発明はこれに限定されるものではない。接続用アダプタを混注部材本体に接続したときに、当該接続状態を維持することが可能であれば、係合部及び被係合部は、他の公知の手段からなっていてもよい。
【０１０５】
（５）上記実施形態５においては、つば部５９２が略円形のつば状の部材である場合を例示して説明したが、本発明はこれに限定されるものではなく、他の形状からなっていてもよい。また、上記実施形態５においては、つば部５９２は、混注部材本体５５０に接続用アダプタ１００を接続したときに、嵌合孔１３０が設けられている部分の針保護フード１２０の内面と接する位置に設けられていたが、本発明はこれに限定されるものではない。混注部材本体５５０に接続用アダプタ１００を接続したときに、針保護フード１２０の内面とつば部５９２とは必ずしも接していなくてもよい。
【０１０６】
（６）上記各実施形態においては、接続用アダプタを構成する各部材が、金型により一体成形されている場合を例示して説明したが、本発明はこれに限定されるものではない。例えば、接続用アダプタを構成する各部材を個別に作成した後、各部材を接合してもよい。混注部材本体についても同様に、金型により一体成形されているものに限定されず、各部材を接合したものであってもよい。
【０１０７】
（７）上記各実施形態においては、接続用アダプタの材料としてポリプロピレンを用い、混注部材本体の材料としてポリカーボネートを用いたが、本発明はこれに限定されるものではなく、他のプラスチック材料を用いてもよい。
【０１０８】
（８）上記実施形態１においては、動脈側回路２０の一部（ローリングチューブ２６とシャントキャップ２７との間）に混注部材５０を配設した場合を例示して説明したが、本発明はこれに限定されるものではなく、動脈側回路２０の他の位置や静脈側回路３０に本発明の混注部材を配設してもよい。また、本発明の混注部材を、上記した医療用回路１とは異なる回路構成からなる血液回路に用いてもよいし、血液透析用以外の血液回路（例えば、血漿分離用の血液回路や人工心肺用の血液回路等）や、輸液回路に用いてもよい。
【符号の説明】
【０１０９】
１  医療用回路
１０  血液処理器
２０  動脈側回路
２１〜２４，３１，３２  チューブ
２５，３３  ドリップチャンバ
２６  ローリングチューブ
２７，３４  シャントキャップ
３０  静脈側回路
４１  生食ライン
４２  ヘパリンライン
４３，４５  モニターライン
４４  排液ライン
５０  混注部材
６０  アダプタ用キャップ
６２  （アダプタ用キャップの）螺旋状突起
６４  （アダプタ用キャップの）凸部
７０  栓止部材
８０  被冠部材
８２  （被冠部材の）被係止部
９０  ルアーロック式シリンジ
９２  ルアーロック部
９４  ピストン部
１００，２００，３００，４００  接続用アダプタ
１１０，２１０，３１０，４１０  針管
１２０，２２０，３２０，４２０  針保護フード
１２２，２２２，３２２，４２２  切欠き
１２４，２２４，３２４，４２４  第１切欠き部
１２８，２２８，３２８，４２８  第２切欠き部
１３０，２３０，３３０，４３０  嵌合孔
１３２，２３２，３３２，４３２  スリット
１３４，２３４，３３４，４３４  （針保護フードの）リブ
１４０，２４０，３４０，４４０  螺合接続部
１４２，２４２，３４２，４４２  （螺合接続部の）螺旋状突起
１５０，５５０  混注部材本体
１６２，１６４，５６２，５６４  チューブ接続部
１７０，５７０  混注部
１７２，５７２  （混注部材本体の）係止部
１８０，５８０  アダプタ保持部
１８２，５８２  鞍状部
１８４，５８４  針管収納部
１８６，５８６  支持部
１８８，５８８  （アダプタ保持部の）リブ
１９０，５９０  突起
２２５  第１曲面部
２２６  第２曲面部
３２５  曲面部
３２６  直線部
４２５  第１直線部
４２６  第２直線部
５９２  つば部
Ｖ  仮想平面
【図１】
0005491227.tif 000002
【図２】
0005491227.tif 000003
【図４】
0005491227.tif 000004
【図５】
0005491227.tif 000005
【図６】
0005491227.tif 000006
【図８】
0005491227.tif 000007
【図９】
0005491227.tif 000008
【図１１】
0005491227.tif 000009
【図１２】
0005491227.tif 000010
【図１３】
0005491227.tif 000011
【図１４】
0005491227.tif 000012
【図１５】
0005491227.tif 000013
【図１６】
0005491227.tif 000014
【図１７】
0005491227.tif 000015
【図３】
0005491227.tif 000016
【図７】
0005491227.tif 000017
【図１０】
0005491227.tif 000018